(57)【特許請求の範囲】
【請求項１】
ユーザ装置と通信する基地局であって、
当該基地局と前記ユーザ装置との間の呼処理、当該基地局と基地局制御装置との間のメッセージ送受信処理及び当該基地局と他の基地局との間のメッセージ送受信処理のために生成された前記ユーザ装置の共通ユーザＩＤを管理する共通ユーザＩＤ管理部と、
前記呼処理のためのユーザＩＤとして前記共通ユーザＩＤの所定の第１ビット範囲を利用することによって、前記ユーザ装置との間の呼処理を実行する呼処理部と、
当該基地局と基地局制御装置との間のメッセージ送受信処理のためのユーザＩＤとして前記共通ユーザＩＤの所定の第２ビット範囲を利用することによって、前記ユーザ装置に対する基地局と基地局制御装置との間のメッセージ送受信処理を実行するＳ１メッセージ送受信部と、
当該基地局と他の基地局との間のメッセージ送受信処理のためのユーザＩＤとして前記共通ユーザＩＤの所定の第３ビット範囲を利用することによって、前記ユーザ装置に対する基地局間のメッセージ送受信処理を実行するＸ２メッセージ送受信部と、
を有する基地局。
【請求項２】
前記呼処理のためのユーザＩＤは、ＬＴＥ（Ｌｏｎｇ  Ｔｅｒｍ  Ｅｖｏｌｕｔｉｏｎ）におけるＣ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）であり、
当該基地局と基地局制御装置（ＭＭＥ）との間のメッセージ送受信処理のためのユーザＩＤは、前記ＬＴＥにおけるＭＭＥ  ＵＥ  Ｓ１ＡＰ  ＩＤであり、
当該基地局と他の基地局との間のメッセージ送受信処理のためのユーザＩＤは、前記ＬＴＥにおけるｅＮＢ  ＵＥ  Ｘ２ＡＰ  ＩＤである、請求項１記載の基地局。
【請求項３】
前記共通ユーザＩＤ管理部は、当該基地局内のユーザ装置に対して分散して設定された分散ＩＤ、前記ユーザ装置が接続される基地局制御装置（ＭＭＥ）のＭＭＥ  ＩＤ、ネットワーク内の基地局に一意的に付与される装置ＩＤ及びＣ−ＲＮＴＩを所定のビット範囲に配置することによって、前記共通ユーザＩＤを生成する、請求項１又は２記載の基地局。
【請求項４】
前記共通ユーザＩＤは、上位ビットから前記分散ＩＤ、前記ＭＭＥ  ＩＤ、前記装置ＩＤ及び前記Ｃ−ＲＮＴＩの順序で配置される２４ビット長のビットシーケンスから構成され、
前記分散ＩＤ、前記ＭＭＥ  ＩＤ及び前記装置ＩＤは、前記ビットシーケンスの上位１２ビットに配置され、前記Ｃ−ＲＮＴＩは、前記ビットシーケンスの下位１２ビットに配置される、請求項３記載の基地局。
【請求項５】
前記呼処理部は、前記共通ユーザＩＤの下位１２ビットをＣ−ＲＮＴＩとして利用し、
前記Ｓ１メッセージ送受信部は、前記共通ユーザＩＤの下位２３ビットをＭＭＥ  ＵＥ  Ｓ１ＡＰ  ＩＤとして利用し、
前記Ｘ２メッセージ送受信部は、前記共通ユーザＩＤの上位１２ビットをｅＮＢ  ＵＥ  Ｘ２ＡＰ  ＩＤとして利用する、請求項４記載の基地局。
【請求項６】
前記共通ユーザＩＤ管理部は、ネットワーク内の基地局に一意的に付与される装置ＩＤ、前記ユーザ装置が属する当該基地局のセルのセルＩＤ及びＣ−ＲＮＴＩを所定のビット範囲に配置することによって、前記共通ユーザＩＤを生成する、請求項１又は２記載の基地局。
【請求項７】
前記共通ユーザＩＤは、上位ビットから前記装置ＩＤ、前記セルＩＤ及び前記Ｃ−ＲＮＴＩの順序で配置される２３ビット長のビットシーケンスから構成され、
前記装置ＩＤ、前記セルＩＤ及び前記Ｃ−ＲＮＴＩは、それぞれ５ビット、６ビット及び１２ビットから構成される、請求項６記載の基地局。
【請求項８】
前記呼処理部は、前記共通ユーザＩＤの下位１２ビットをＣ−ＲＮＴＩとして利用し、
前記Ｓ１メッセージ送受信部は、前記共通ユーザＩＤの２３ビットをＭＭＥ  ＵＥ  Ｓ１ＡＰ  ＩＤとして利用し、
前記Ｘ２メッセージ送受信部は、前記共通ユーザＩＤの２３ビットをｅＮＢ  ＵＥ  Ｘ２ＡＰ  ＩＤとして利用する、請求項７記載の基地局。
【発明の詳細な説明】
【技術分野】
【０００１】
本発明は、無線通信システムに関する。
【背景技術】
【０００２】
現在、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）により策定された通信規格としてＬＴＥ（Ｌｏｎｇ  Ｔｅｒｍ  Ｅｖｏｌｕｔｉｏｎ）が利用されている。ＬＴＥシステムでは、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）により管理された基地局（ｅｖｏｌｖｅｄ  ＮｏｄｅＢ）は、自局がカバーする通信エリア内に存在するとユーザ装置（Ｕｓｅｒ  Ｅｑｕｉｐｍｅｎｔ：ＵＥ）と無線通信する。
【０００３】
図１は、ＬＴＥにおけるＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）の構成を示す構成図である。図１に示されるように、基地局は、ＭＭＥ／Ｓ−ＧＷとＳ１インタフェースを介し接続される一方、ネットワーク内の隣接する基地局とＸ２インタフェースを介し接続される。また、基地局のセル又はセクタ内に在圏する各ユーザ装置は、当該セル内で一意的に割り当てられたＣ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）により識別される。例えば、Ｃ−ＲＮＴＩとして、「０ｘ００１」〜「０ｘＦＦＦ３」の範囲の値が割り当てられる。
【０００４】
また、ＬＴＥシステムでは、図２に示されるように、複数のセルを収容する高容量の基地局の導入が進められている。図２の左側に示される単一セルの基地局では、収容セクタ／ユーザ数が少ないため、基地局に在圏する各ユーザ装置は、上述したＣ−ＲＮＴＩにより識別することが可能である。他方、図２の右側に示される複数セルを収容する高容量基地局では、上述したＣ−ＲＮＴＩのみでは基地局に在圏する各ユーザ装置を特定することができない。このため、基地局内で各ユーザ装置に一意的に割り当てられる装置内ユーザＩＤが定義され、当該装置内ユーザＩＤを用いて各ユーザ装置を管理することが一般的である。ここで、装置内ユーザＩＤは、基地局内の各処理に共通して使用されるＩＤとして定義される。
【０００５】
Ｅ−ＵＴＲＡＮにおいて、基地局と基地局制御装置との間の通信（ｅＮＢ−ＭＭＥ通信）はＳ１−ＡＰプロトコルにより実現され、基地局間の通信（ｅＮＢ−ｅＮＢ通信）はＸ２−ＡＰプロトコルにより実現される。Ｓ１インタフェースとＸ２インタフェースとにおける各ユーザ装置の特定には、Ｓ１−ＡＰプロトコルとＸ２−ＡＰプロトコルとのそれぞれにおいて定義されるＭＭＥ  ＵＥ  Ｓ１ＡＰ  ＩＤとｅＮＢ  ＵＥ  Ｘ２ＡＰ  ＩＤという２つの識別子が利用される。ＬＴＥ規格では、ＭＭＥ  ＵＥ  Ｓ１ＡＰ  ＩＤは、ｅＮＢ−ＭＭＥ通信のＳ１インタフェースで各ユーザ装置を識別するため定義され、基地局によって０〜（２２３−１）の範囲からＳ１インタフェース上で重複しない任意のＩＤが設定される。他方、ｅＮＢ  ＵＥ  Ｘ２ＡＰ  ＩＤは、ｅＮＢ−ｅＮＢ通信のＸ２インタフェースで各ユーザ装置を識別するため定義され、基地局によって０〜（２１２−１）の範囲からＸ２インタフェース上で重複しない任意のＩＤが設定される。
【先行技術文献】
【非特許文献】
【０００６】
【非特許文献１】３ＧＰＰ  ＴＳ３６．３２１  Ｖ８．１２．０（２０１２−０３）
【非特許文献２】３ＧＰＰ  ＴＳ３６．４１３  Ｖ８．１０．０（２０１０−０６）
【非特許文献３】３ＧＰＰ  ＴＳ３６．４２３  Ｖ８．９．０（２０１０−０４）
【発明の概要】
【発明が解決しようとする課題】
【０００７】
上述した各種ＩＤを全て備えた基地局を構成した場合、図３に示されるように、ユーザ装置を識別する識別子又は識別番号（ＩＤ）は、呼処理や外部インタフェースなどの処理毎に個別に設定及び管理され、またサイズ又はビット数も異なっている。このため、基地局内では１つのユーザ装置に対して複数のＩＤが付与され、各ユーザ装置に対して複数のＩＤが管理される必要がある。例えば、図３に示されるユーザ情報管理テーブルでは、用途に応じて各ユーザ装置に割り当てられた装置内ユーザＩＤ、Ｃ−ＲＮＴＩ、Ｓ１  ＡＰ  ＩＤ及びＸ２  ＡＰ  ＩＤが識別子として管理される。
【０００８】
具体的には、呼処理制御について、基地局は、新規呼設定処理において、装置内ユーザＩＤとＣ−ＲＮＴＩとをユーザ装置に割り当て、ユーザ情報管理テーブルに格納する。以降の呼処理において、基地局は、ユーザ情報管理テーブルの装置内ユーザＩＤからＣ−ＲＮＴＩを特定する。また、Ｓ１メッセージ送受信処理では、基地局は、新規Ｓ１インタフェース確立時に、ユーザ装置に未使用のＳ１  ＡＰ  ＩＤを付与し、装置内ユーザＩＤと関連付けてユーザ情報管理テーブルに格納する。以降のＳ１メッセージ送受信では、基地局は、ユーザ情報管理テーブルの装置内ユーザＩＤからＳ１  ＡＰ  ＩＤを特定する。また、Ｘ２メッセージ送受信処理では、基地局は、新規Ｘ２インタフェース確立時に、ユーザ装置に未使用のＸ２  ＡＰ  ＩＤを付与し、装置内ユーザＩＤと関連付けてユーザ情報管理テーブルに格納する。以降のＸ２メッセージ送受信では、基地局は、ユーザ情報管理テーブルの装置内ユーザＩＤからＸ２  ＡＰ  ＩＤを特定する。
【０００９】
このようなＩＤ管理では、ＩＤ種別毎にＩＤ管理が必要となると共に、処理毎に対応するＩＤを特定する必要があり、処理が煩雑となる。また、全てのＩＤを収容したユーザ情報管理テーブルを格納するため、上述した呼処理制御、Ｓ１メッセージ送受信及びＸ２メッセージ送受信の各処理エンティティからアクセス可能な共通メモリ領域が基地局内に確保される必要がある。
【００１０】
上述した問題点を解決するため、本発明の課題は、基地局内におけるユーザ装置のＩＤ管理を効率化すると共に、ＩＤ管理に伴うメモリ領域を低減するための技術を提供することである。
【課題を解決するための手段】
【００１１】
上記課題を解決するため、本発明の一態様は、ユーザ装置と通信する基地局であって、当該基地局と前記ユーザ装置との間の呼処理、当該基地局と基地局制御装置との間のメッセージ送受信処理及び当該基地局と他の基地局との間のメッセージ送受信処理のために生成された前記ユーザ装置の共通ユーザＩＤを管理する共通ユーザＩＤ管理部と、前記呼処理のためのユーザＩＤとして前記共通ユーザＩＤの所定の第１ビット範囲を利用することによって、前記ユーザ装置との間の呼処理を実行する呼処理部と、当該基地局と基地局制御装置との間のメッセージ送受信処理のためのユーザＩＤとして前記共通ユーザＩＤの所定の第２ビット範囲を利用することによって、前記ユーザ装置に対する基地局と基地局制御装置との間のメッセージ送受信処理を実行するＳ１メッセージ送受信部と、当該基地局と他の基地局との間のメッセージ送受信処理のためのユーザＩＤとして前記共通ユーザＩＤの所定の第３ビット範囲を利用することによって、前記ユーザ装置に対する基地局間のメッセージ送受信処理を実行するＸ２メッセージ送受信部とを有する基地局に関する。
【発明の効果】
【００１２】
本発明によると、基地局内におけるユーザ装置のＩＤ管理を効率化すると共に、ＩＤ管理に伴うメモリ領域を低減することができる。
【図面の簡単な説明】
【００１３】
【図１】図１は、ＬＴＥにおけるＥ−ＵＴＲＡＮの構成を示す概略図である。
【図２】図２は、単一セル基地局と複数セル基地局とを示す概略図である。
【図３】図３は、従来技術によるユーザ情報管理テーブルを示す図である。
【図４】図４は、本発明の一実施例による無線通信システムを示す概略図である。
【図５】図５は、本発明の一実施例による基地局の構成を示すブロック図である。
【図６】図６は、本発明の一実施例による共通ユーザＩＤの構成図である。
【図７】図７は、本発明の他の実施例による共通ユーザＩＤの構成図である。
【発明を実施するための形態】
【００１４】
以下、図面に基づいて本発明の実施の形態を説明する。以下の実施例では、隣接する基地局及び基地局制御装置と通信することによって、ユーザ装置と無線通信する基地局が開示される。
【００１５】
後述される実施例を概略すると、基地局は、各ユーザ装置に対して共通ユーザＩＤを生成し、当該基地局とユーザ装置との間の呼処理、当該基地局と基地局制御装置との間のメッセージ送受信処理及び当該基地局と他の基地局との間のメッセージ送受信処理において、当該共通ユーザＩＤの所定のビット範囲を抽出することによって、上述した各処理に用いられるユーザ装置のＩＤを導出する。これにより、各処理におけるＩＤ変換処理を実行することなく共通ユーザＩＤから各処理に用いられるＩＤを効率的に導出できると共に、ユーザＩＤを格納するためのメモリサイズを低減することが可能になる。
【００１６】
図４を参照して、本発明の一実施例による無線通信システムを説明する。図４は、本発明の一実施例による無線通信システムを示す概略図である。
【００１７】
図４に示されるように、無線通信システム１０は、基地局（ｅＮＢ）１００、ユーザ装置（ＵＥ）２００及び基地局制御装置（ＭＭＥ／Ｓ−ＧＷ）３００を有する。図示されるように、基地局１００は、基地局制御装置３００とＳ１インタフェースを介し通信接続されると共に、隣接する基地局１００とＸ２インタフェースを介し通信接続される。後述される実施例では、無線通信システム１０は、ＬＴＥシステム又はＬＴＥ−Ａｄｖａｎｃｅｄシステムとして説明されるが、本発明はこれに限定されるものでなく、用途に応じてユーザ装置に異なるＩＤが付与される他の何れか適切な通信システムであってもよい。
【００１８】
基地局１００は、ユーザ装置２００と無線接続することによって、コアネットワーク（図示せず）上に通信接続された上位局やサーバなどのネットワーク装置から受信したダウンリンク（ＤＬ）パケットをユーザ装置２００に送信すると共に、ユーザ装置２００から受信したアップリンク（ＵＬ）パケットをネットワーク装置に送信する。ＬＴＥ規格では、基地局１００は、Ｓ１−ＡＰプロトコルに従ってＳ１インタフェースを介し基地局制御装置３００との間でＳ１メッセージを送受信すると共に、Ｘ２−ＡＰプロトコルに従ってＸ２インタフェースを介し隣接する他の基地局１００との間でＸ２メッセージを送受信する。
【００１９】
基地局１００は、典型的には、ユーザ装置２００との間で無線信号を送受信するためのアンテナ、隣接する基地局１００及び基地局制御装置３００と通信するための通信インタフェース、ユーザ装置２００と隣接する基地局１００及び基地局制御装置３００との間の送受信信号を処理するためのプロセッサや回路などのハードウェアリソースにより構成される。後述される基地局１００の各機能及び処理は、メモリ装置に格納されているデータやプログラムをプロセッサが処理又は実行することによって実現されてもよい。しかしながら、基地局１００は、上述したハードウェア構成に限定されず、他の何れか適切なハードウェア構成を有してもよい。
【００２０】
ユーザ装置２００は、基地局１００と無線接続し、基地局１００との間で無線信号を送受信する。具体的には、ユーザ装置２００は、基地局１００との間でアップリンク／ダウンリンク制御チャネルやアップリンク／ダウンリンクデータチャネルなどの各種無線チャネルを送受信する。典型的には、ユーザ装置２００は、図示されるように、スマートフォン、携帯電話、タブレット、モバイルルータなどの無線通信機能を備えた何れか適切な情報処理装置であってもよい。ユーザ装置２００は、プロセッサなどのＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）やフラッシュメモリなどのメモリ装置、基地局１００との間で無線信号を送受信するためのＲＦ回路などから構成される。後述されるユーザ装置２００の各機能及び処理は、メモリ装置に格納されているデータやプログラムをＣＰＵが処理又は実行することによって実現されてもよい。しかしながら、ユーザ装置２００は、上述したハードウェア構成に限定されず、後述する処理の１以上を実現する回路などにより構成されてもよい。
【００２１】
基地局制御装置３００は、ハンドオーバ制御、ページング制御、認証管理などを実行するため、基地局１００を制御する。ＬＴＥ規格では、基地局制御装置３００は、ＭＭＥ／Ｓ−ＧＷにより実現され、無線通信システム１０のコアネットワークを構成する。
【００２２】
次に、図５〜７を参照して、本発明の一実施例による基地局におけるユーザ装置ＩＤの管理処理を説明する。
【００２３】
図５は、本発明の一実施例による基地局の構成を示すブロック図である。図５に示されるように、基地局１００は、共通ユーザＩＤ管理部１１０、呼処理部１２０、Ｓ１メッセージ送受信部１３０及びＸ２メッセージ送受信部１４０を有する。
【００２４】
共通ユーザＩＤ管理部１１０は、基地局１００とユーザ装置２００との間の呼処理、基地局１００と基地局制御装置３００との間のメッセージ送受信処理及び基地局１００と他の基地局１００との間のメッセージ送受信処理のために生成されたユーザ装置２００の共通ユーザＩＤを管理する。具体的には、共通ユーザＩＤ管理部１１０は、新規呼設定やハンドオーバ処理において、ユーザ装置１００に対してＣ−ＲＮＴＩを割り当てると共に、当該Ｃ−ＲＮＴＩを用いて共通ユーザＩＤを生成し、生成した共通ユーザＩＤをユーザ情報管理テーブルに登録する。ここで、ユーザ情報管理テーブルは、呼処理部１２０、Ｓ１メッセージ送受信部１３０及びＸ２メッセージ送受信部１４０によりアクセス可能な共通メモリ領域に格納される。
【００２５】
呼処理部１２０は、呼処理のためのユーザＩＤとして共通ユーザＩＤの所定の第１ビット範囲を利用することによって、ユーザ装置２００との間の呼処理を実行する。具体的には、呼処理部１２０は、ユーザ装置２００に対する呼処理を実行する際、共通ユーザＩＤ管理部１１０により管理されるユーザ情報管理テーブルを参照して、当該ユーザ装置２００の共通ユーザＩＤを特定する。当該ユーザ装置２００の共通ユーザＩＤを特定すると、呼処理部１２０は、特定した共通ユーザＩＤの所定の第１ビット範囲を抽出し、抽出したビットシーケンスを利用して、ユーザ装置２００に対する呼処理を実行する。ここで、ＬＴＥシステムでは、呼処理のためのユーザＩＤは、ＬＴＥにおけるＣ−ＲＮＴＩ（Ｃｅｌｌ−Ｒａｄｉｏ  Ｎｅｔｗｏｒｋ  Ｔｅｍｐｏｒａｒｙ  Ｉｄｅｎｔｉｆｉｅｒ）である。当該Ｃ−ＲＮＴＩは、基地局１００により提供されるセル内のユーザ装置２００に一意的に割り当てられた識別子である。
【００２６】
Ｓ１メッセージ送受信部１３０は、基地局１００と基地局制御装置３００との間のメッセージ送受信処理のためのユーザＩＤとして共通ユーザＩＤの所定の第２ビット範囲を利用することによって、ユーザ装置２００に対する基地局１００と基地局制御装置３００との間のメッセージ送受信処理を実行する。具体的には、Ｓ１メッセージ送受信部１３０は、基地局制御装置３００にユーザ装置２００のためのメッセージを送信する際、共通ユーザＩＤ管理部１１０により管理されるユーザ情報管理テーブルを参照して、当該ユーザ装置２００の共通ユーザＩＤを特定する。当該ユーザ装置２００の共通ユーザＩＤを特定すると、Ｓ１メッセージ処理部１３０は、特定した共通ユーザＩＤの所定の第２ビット範囲を抽出し、抽出したビットシーケンスを利用して基地局制御装置３００にユーザ装置２００のためのメッセージを送信する。他方、Ｓ１メッセージ送受信部１３０は、基地局制御装置３００からユーザ装置２００のためのメッセージを受信した際、共通ユーザＩＤ管理部１１０により管理されるユーザ情報管理テーブルを参照して、受信したメッセージからユーザ装置２００のユーザＩＤを抽出し、抽出したユーザＩＤを第２ビット範囲に含む共通ユーザＩＤ及び当該共通ユーザＩＤに対応するユーザ装置２００を特定する。
【００２７】
ここで、ＬＴＥシステムでは、基地局１００と基地局制御装置（ＭＭＥ）３００との間のメッセージ送受信処理のためのユーザＩＤは、ＭＭＥ  ＵＥ  Ｓ１ＡＰ  ＩＤであり、当該ＭＭＥ  ＵＥ  Ｓ１ＡＰ  ＩＤを用いて、基地局１００と基地局制御装置３００との間でＳ１メッセージが送受信される。当該ＭＭＥ  ＵＥ  Ｓ１ＡＰ  ＩＤは、ｅＮＢ−ＭＭＥ通信のＳ１インタフェースで各ユーザ装置２００を識別するため定義され、０〜（２２３−１）の範囲内で設定される。このため、第２ビット範囲は、２３ビット長とされる。
【００２８】
Ｘ２メッセージ送受信部１４０は、基地局１００と他の基地局１００との間のメッセージ送受信処理のためのユーザＩＤとして共通ユーザＩＤの所定の第３ビット範囲を利用することによって、ユーザ装置２００に対する基地局間のメッセージ送受信処理を実行する。具体的には、Ｘ２メッセージ送受信部１４０は、他の基地局１００にユーザ装置２００のためのメッセージを送信する際、共通ユーザＩＤ管理部１１０により管理されるユーザ情報管理テーブルを参照して、当該ユーザ装置２００の共通ユーザＩＤを特定する。当該ユーザ装置２００の共通ユーザＩＤを特定すると、Ｘ２メッセージ処理部１４０は、特定した共通ユーザＩＤの所定の第３ビット範囲を抽出し、抽出したビットシーケンスを利用して他の基地局１００にメッセージを送信する。他方、Ｘ２メッセージ送受信部１４０は、他の基地局１００からユーザ装置２００のためのメッセージを受信した際、共通ユーザＩＤ管理部１１０により管理されるユーザ情報管理テーブルを参照して、受信したメッセージからユーザ装置２００のユーザＩＤを抽出し、抽出したユーザＩＤを第３ビット範囲に含む共通ユーザＩＤ及び当該共通ユーザＩＤに対応するユーザ装置２００を特定する。
【００２９】
ここで、ＬＴＥシステムでは、基地局１００と他の基地局１００との間のメッセージ送受信処理のためのユーザＩＤは、ｅＮＢ  ＵＥ  Ｘ２ＡＰ  ＩＤであり、当該ｅＮＢ  ＵＥ  Ｘ２ＡＰ  ＩＤを用いて、基地局１００と他の基地局１００との間でＸ２メッセージが送受信される。当該ｅＮＢ  ＵＥ  Ｘ２ＡＰ  ＩＤは、ｅＮＢ−ｅＮＢ通信のＸ２インタフェースで各ユーザ装置２００を識別するため定義され、０〜（２１２−１）の範囲内で設定される。このため、第３ビット範囲は、１２ビット長とされる。なお、ＬＴＥ規格では、ｅＮＢ  ＵＥ  Ｘ２ＡＰ  ＩＤは、２３ビット長に拡張可能であることが規定されている。この場合、第３ビット範囲は、２３ビット長まで拡張されてもよい。
【００３０】
一実施例では、共通ユーザＩＤ管理部１１０は、図６に示されるように、基地局１００内のユーザ装置２００に対して分散して設定された分散ＩＤ、ユーザ装置２００が接続される基地局制御装置（ＭＭＥ）３００のＭＭＥ  ＩＤ、ネットワーク内の各基地局１００に一意的に付与される装置ＩＤ及びＣ−ＲＮＴＩを所定のビット範囲に配置することによって、共通ユーザＩＤを生成してもよい。ここで、分散ＩＤは、基地局１００に在圏する各ユーザ装置２００に対して異なるＩＤとなるように、基地局１００により割り当てられる値である。例えば、共通ユーザＩＤ管理部１１０は、未使用の分散ＩＤからランダムにＩＤ値を選択し、選択したＩＤ値をユーザ装置２００の分散ＩＤとして割り当ててもよい。また、ＭＭＥ  ＩＤは、ユーザ装置２００が基地局１００を介し接続される基地局制御装置３００の識別子である。また、装置ＩＤは、ネットワーク内の各基地局１００に一意的に付与される識別子である。また、Ｃ−ＲＮＴＩは、基地局１００により提供されるセル内のユーザ装置２００に一意的に割り当てられた識別子である。
【００３１】
図示されるように、共通ユーザＩＤは、上位ビットから分散ＩＤ、ＭＭＥ  ＩＤ、装置ＩＤ及びＣ−ＲＮＴＩの順序で配置される２４ビット長のビットシーケンスから構成され、分散ＩＤ、ＭＭＥ  ＩＤ及び装置ＩＤは、当該ビットシーケンスの上位１２ビットに配置され、Ｃ−ＲＮＴＩは、当該ビットシーケンスの下位１２ビットに配置されてもよい。この場合、呼処理部１２０は、共通ユーザＩＤの下位１２ビットをＣ−ＲＮＴＩとして利用し、Ｓ１メッセージ送受信部１３０は、共通ユーザＩＤの下位２３ビットをＭＭＥ  ＵＥ  Ｓ１ＡＰ  ＩＤとして利用し、Ｘ２メッセージ送受信部１４０は、共通ユーザＩＤの上位１２ビットをｅＮＢ  ＵＥ  Ｘ２ＡＰ  ＩＤとして利用してもよい。
【００３２】
このようにして、各ユーザ装置２００に関連付けされた共通ユーザＩＤから、当該ユーザ装置２００のＣ−ＲＮＴＩ、ＭＭＥ  ＵＥ  Ｓ１ＡＰ  ＩＤ及びｅＮＢ  ＵＥ  Ｘ２ＡＰ  ＩＤが、共通ユーザＩＤの所定のビット範囲を特定するという簡易な処理のみによって導出することが可能であり、各処理におけるＩＤ変換処理が不要となる。また、ユーザ装置２００のＩＤを管理するためのユーザ情報管理テーブルには、個別の処理毎に用いられる全ての種別のＩＤでなく、各ユーザ装置２００に対して割り当てられた共通ユーザＩＤのみが登録されるため、ユーザ情報管理テーブルを格納する共通メモリ領域のメモリサイズを低減することが可能になる。
【００３３】
他の実施例では、共通ユーザＩＤ管理部１１０は、図７に示されるように、ネットワーク内の基地局１００に一意的に付与される装置ＩＤ、ユーザ装置２００が属する基地局１００のセルのセルＩＤ及びＣ−ＲＮＴＩを所定のビット範囲に配置することによって、共通ユーザＩＤを生成してもよい。ここで、装置ＩＤは、ネットワーク内の各基地局１００に一意的に付与される識別子である。また、セルＩＤは、基地局１００により提供されるセルの識別子である。また、Ｃ−ＲＮＴＩは、基地局１００により提供されるセル内のユーザ装置に一意的に割り当てられた識別子である。
【００３４】
図示されるように、共通ユーザＩＤは、上位ビットから装置ＩＤ、セルＩＤ及びＣ−ＲＮＴＩの順序で配置される２３ビット長のビットシーケンスから構成され、装置ＩＤ、セルＩＤ及びＣ−ＲＮＴＩは、それぞれ５ビット、６ビット及び１２ビットから構成されてもよい。この場合、呼処理部１２０は、共通ユーザＩＤの下位１２ビットをＣ−ＲＮＴＩとして利用し、Ｓ１メッセージ送受信部１３０は、共通ユーザＩＤの２３ビットをＭＭＥ  ＵＥ  Ｓ１ＡＰ  ＩＤとして利用し、Ｘ２メッセージ送受信部１４０は、共通ユーザＩＤの２３ビットをｅＮＢ  ＵＥ  Ｘ２ＡＰ  ＩＤとして利用してもよい。すなわち、ＭＭＥ  ＵＥ  Ｓ１ＡＰ  ＩＤ及びｅＮＢ  ＵＥ  Ｘ２ＡＰ  ＩＤは、共通ユーザＩＤ自体となる。
【００３５】
図６の実施例と比較して、本実施例では、ｅＮＢ  ＵＥ  Ｘ２ＡＰ  ＩＤが２３ビットに拡張されている。高容量の基地局１００では、ｅＮＢ  ＵＥ  Ｘ２ＡＰ  ＩＤは１２ビットであったため重複の可能性があり、例えば、ハンドオーバ処理が失敗するおそれがあった。図７の実施例では、ｅＮＢ  ＵＥ  Ｘ２ＡＰ  ＩＤは２３ビットに拡張されたため、重複の可能性を回避することが可能になる。なお、Ｃ−ＲＮＴＩは、相対的に少ないビット数により表されるが、セル単位の処理に利用されると共に、重複が生じないように基地局１００により生成されたＩＤであるため、他のユーザ装置２００との重複は発生しない。
【００３６】
図６及び７を参照して、共通ユーザＩＤの構成例を説明したが、本発明の共通ユーザＩＤは、これに限定されるものでなく、他の何れか適切な構成であってもよい。
【００３７】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００３８】
１０  無線通信システム
１００  基地局
１１０  共通ユーザＩＤ管理部
１２０  呼処理部
１３０  Ｓ１メッセージ送受信部
１４０  Ｘ２メッセージ送受信部
２００  ユーザ装置
３００  基地局制御装置
【図１】
0006257457.tif 000002
【図２】
0006257457.tif 000003
【図３】
0006257457.tif 000004
【図４】
0006257457.tif 000005
【図５】
0006257457.tif 000006
【図６】
0006257457.tif 000007
【図７】
0006257457.tif 000008